(57)【要約】【課題】コイルが発生させた磁界に与える金属の影響を小さくすることができるため、カードの読取距離の低下を防止することができる。また、建築物に設置する際にその建築物の構成が見えなくなることを防止できる。【解決手段】カードを読み取るカード読取システムであって、磁界を発生させるコイルを有し、前記磁界を通過させることによって前記カードに記録された情報を読み取ることができるカード読取部と、前記コイルの外側に配され、前記情報に応じた画像を投射することができる投射部と、を備える、カード読取システム。【選択図】図１
2017041058.tif 000002
【特許請求の範囲】
【請求項１】
カードを読み取るカード読取システムであって、
磁界を発生させるコイルを有し、前記磁界を通過させることによって前記カードに記録された情報を読み取ることができるカード読取部と、
前記コイルの外側に配され、前記情報に応じた画像を投射することができる投射部と、を備える、カード読取システム。
【請求項２】
請求項１に記載のカード読取システムであって、
前記投射部は、前記画像を壁に投射可能な位置であるとともに前記カード読取部と前記壁との間に配される、カード読取システム。
【請求項３】
請求項２に記載のカード読取システムであって、
前記カード読取部は、前記コイルが組み込まれた透明の部材を備える、カード読取システム。
【請求項４】
請求項３に記載のカード読取システムであって、さらに、
壁に取り付けられ、前記投射部が前記画像を投射可能である半透明の板状部材を備える、カード読取システム。
【請求項５】
請求項１に記載のカード読取システムであって、さらに、
前記投射部が前記画像を投射可能な位置に配され、印加される電圧に応じて光の透過率が変化可能であって、前記画像を投射可能な第１の透過率と、前記第１の透過率より高い第２の透過率をとり得る液晶部を備える、カード読取システム。
【請求項６】
請求項１に記載のカード読取システムであって、
前記カード読取部は、前記コイルが組み込まれた透明の板状部材を備え、
前記板状部材は、前記投射部が前記画像を投射する壁に取り付けられており、
前記投射部は、前記画像を前記壁に投射可能な位置であるとともに前記カード読取部と前記壁との間に配され、
前記カード読取部は、前記板状部材における前記壁の側を向いた面とは反対側である正面側の前記板状部材の面において前記カードに記録された情報を読み取ることができる、カード読取システム。
【請求項７】
請求項６に記載のカード読取システムであって、
前記板状部材における前記正面側の面は、鉛直方向における上端が鉛直方向における下端より前記壁の側に近い面である、カード読取システム。
【請求項８】
請求項６に記載のカード読取システムであって、
前記板状部材における前記正面側の面は、鉛直方向における上端が鉛直方向における下端より前記壁の側から遠い面である、カード読取システム。
【発明の詳細な説明】
【技術分野】
【０００１】
本発明は、カード読取システムに関する。
【背景技術】
【０００２】
カード読取システムは、改礼機、セキュリティシステム、電子マネーシステム等の分野において利用されている。カード読取システムには、カードが記録している情報を読み取るカード読取部と、カードの認証結果およびカード読取システムの操作方法等を示す画像をユーザーに対して表示する画像表示部を備えたものがある。このようなカード読取システムのカード読取部には、磁界を発生させるコイルを含み、その磁界にカードを通過させることによってカードが記録している情報を読み取るものがある。
【先行技術文献】
【特許文献】
【０００３】
【特許文献１】特開２００６−１８５２６号公報
【発明の概要】
【発明が解決しようとする課題】
【０００４】
特許文献１には、コイルを含むカード読取部と、画像表示部とを備えたカード読取システムが記載されている。特許文献１のようなカード読取システムには、カード読取部の近傍に画像表示部を備えることによって、ユーザーの利便性を図ったものがある。しかし、そのようなカード読取システムでは、画像表示部を構成している部品に含まれる金属が、コイルが発生させた磁界に影響することによって、カード読取部においてカードを読み取ることが出来る読取距離が低下してしまう場合があるという課題があった。また、カード読取システムが建築物等に設置された際に、その建築物（例えば、美術館、デザイナーズハウス等）の構成が見えなくなる場合があるという課題があった。そのため、カードの読取距離の低下および建築物の構成が見えなくなることを防止できる技術が望まれていた。
【課題を解決するための手段】
【０００５】
本発明は、上述の課題の少なくとも一部を解決するためになされたものであり、以下の形態として実現することが可能である。
【０００６】
（１）本発明の一形態によれば、カードを読み取るカード読取システムが提供される。このカード読取システムは、磁界を発生させるコイルを有し、前記磁界を通過させることによって前記カードに記録された情報を読み取ることができるカード読取部と、前記コイルの外側に配され、前記情報に応じた画像を投射することができる投射部と、を備える。このような態様とすれば、投射によって画像を表示できることから、カード読取部の近傍に画像を配置できるとともにカード読取部のコイルから投射部を隔離できる。このため、投射部を構成している部品に含まれる金属が、コイルが発生させた磁界に与える影響を小さくすることができることから、カードの読取距離の低下を防止することができる。また、投射によって画像を表示できることから、カード読取部の近傍に画像を配置する場合であっても、画像表示部（例えば、液晶ディスプレイなど）の配置と比べて、投射部の配置は自由度が高いため、建築物に設置する際にその建築物の構成が見えなくなることを防止できる。
【０００７】
（２）本発明の一形態によれば、前記投射部は、前記画像を壁に投射可能な位置であるとともに前記カード読取部と前記壁との間に配されてもよい。このような態様とすれば、投射部から投射される投射光が、カード読取部に対するユーザーの操作によって妨げられることを防止できる。
【０００８】
（３）本発明の一形態によれば、前記カード読取部は、前記コイルが組み込まれた透明の部材を備えてもよい。このような態様とすれば、コイルが組み込まれた部材は透明であるため、画像を投射していないときは、建築物の構成が見えなくなることを防止できる。
【０００９】
（４）本発明の一形態によれば、壁に取り付けられ、前記投射部が前記画像を投射可能である半透明の板状部材を備えてもよい。このような態様とすれば、投射部からの画像を投射する対象物として板状部材を使用できるため、カード読取システムを設置する建築物の壁、天井および床などの材質にかかわらず、画像を投射することができる。このため、カード読取システムの汎用性が高まる。また、画像を投射していないときは、建築物の構成が見えなくなることを防止できる。
【００１０】
（５）本発明の一形態によれば、前記投射部が前記画像を投射可能な位置に配され、印加される電圧に応じて光の透過率が変化可能であって、前記画像を投射可能な第１の透過率と、前記第１の透過率より高い第２の透過率をとり得る液晶部を備えてもよい。このような態様とすれば、投射部からの画像を投射する対象物として液晶部を使用できるため、カード読取システムを設置する建築物の壁、天井および床などの材質にかかわらず、画像を投射することができる。このため、カード読取システムの汎用性が高まる。また、画像を投射していないときは、液晶部の透過率を上げることによって、建築物の構成が見えなくなることを防止できる。
【００１１】
（６）本発明の一形態によれば、前記コイルが組み込まれた透明の板状部材を備え、前記板状部材は、前記投射部が前記画像を投射する壁に取り付けられており、前記投射部は、前記画像を前記壁に投射可能な位置であるとともに前記カード読取部と前記壁との間に配され、前記カード読取部は、前記板状部材における前記壁の側を向いた面とは反対側である正面側の前記板状部材の面において前記カードに記録された情報を読み取ることができてもよい。このような態様とすれば、カード読取部は透明であるため、画像を投射していないときは、建築物の構成が見えなくなることを防止できるとともに、投射部から投射される投射光が、カード読取部に対するユーザーの操作によって妨げられることを防止できる。
【００１２】
（７）本発明の一形態によれば、前記板状部材における前記正面側の面は、鉛直方向における上端が鉛直方向における下端より前記壁の側に近い面であってもよい。このような態様とすれば、カード読取部においてカードに記録された情報を読み取る面が、ユーザーにとって扱いやすい角度に設置できるため、カード読取システムの使い勝手を向上することができる。
【００１３】
（８）本発明の一形態によれば、前記板状部材における前記正面側の面は、鉛直方向における上端が鉛直方向における下端より前記壁の側から遠い面であってもよい。このような態様とすれば、カード読取システムを屋外に設置する場合に、カード読取部においてカードに記録された情報を読み取る面に対して太陽光が反射することを防止できる。また、カード読取システムを屋内に設置する場合でも、蛍光灯が反射することを防止できる。このため、ユーザーは、壁に投射された画像を見やすくなる。
【００１４】
本発明の形態は、カード読取システムの形態に限るものではなく、例えば、カード読取システムを制御する制御装置の他、カード読取システムを備えるシステムなどの種々の形態に適用することも可能である。また、本発明は、前述の形態に何ら限定されるものではなく、本発明の趣旨を逸脱しない範囲内において様々な形態で実施し得ることは勿論である。
【図面の簡単な説明】
【００１５】
【図１】本実施形態におけるカード読取システムについて示した説明図である。
【図２】投射部が壁部に対して画像を投射している状態について示した説明図である。
【図３】参考例のカード読取システムの説明図である。
【図４】第２実施形態におけるカード読取システムについて示した説明図である。
【図５】第３実施形態におけるカード読取システムについて示した説明図である。
【図６】第４実施形態におけるカード読取システムについて示した説明図である。
【図７】第４実施形態におけるカード読取システムの投射部が壁部に対して画像を投射している状態について示した説明図である。
【図８】第５実施形態におけるカード読取システムについて示した説明図である。
【発明を実施するための形態】
【００１６】
Ａ．第１実施形態：
図１は、本実施形態におけるカード読取システム１０について示した説明図である。カード読取システム１０は、カードに記録された情報を読み取るシステムである。
【００１７】
本実施形態では、カード読取システム１０は、個人を特定するためのＩＤ（IDentification）情報が記録されたＩＤカードを読み取ることによって、予め登録された個人にのみカード読取システム１０が設置された出入り口の開錠を許可する。他の実施形態では、カード読取システム１０は、労働時間を記録するタイムレコーダに備えられてもよい。そのような態様においては、カード読取システム１０は、社員証を読み取ることによって、タイムレコーダに、社員証で特定された個人の労働時間の開始および終了を記録させる。
【００１８】
カード読取システム１０は、カード読取部１００と、投射部２００と、突出部３１０とを備える。本実施形態では、カード読取システム１０は、美術館に設置されることによって、館員用の出入り口の開錠を制御する。他の実施形態では、カード読取システム１０は、事業所および倉庫などに設置されていてもよい。本実施形態では、カード読取システム１０は、美術館に設けられた壁部３００と、壁部３００から水平方向に突出した突出部３１０に設置される態様である。他の実施形態では、カード読取システム１０は、壁部と床面に設置される態様であってもよいし、壁部と天井に設置される態様であってもよい。
【００１９】
カード読取部１００は、矩形の枠形状から一辺を取り除いた形状であるとともに透明の部材である。カード読取部１００は、その取り除かれた一辺の領域を突出部３１０により封止されるように突出部３１０に取り付けられている。また、カード読取部１００において取り除かれた一辺とは反対側における辺は、カード読取システム１０が設置された美術館の壁部３００に取り付けられている。カード読取部１００は、透明の部材であり、その部材内に透明なコイル１１０を備える。
【００２０】
コイル１１０は、磁界を発生させる。コイル１１０は、カード読取部１００の枠形状の内側を取り囲むように配され、コイル１１０の一部は突出部３１０内に配されている。カード読取部１００は、枠形状の内側において、コイル１１０が発生させた磁界にＩＤカードを通過させることでＩＤカード内に起電力を発生させることによって、ＩＤカードから情報を読み取る。
【００２１】
投射部２００は、カード読取部１００が読み取った情報に応じた画像を表す投射光を投射する。本実施形態では、投射部２００は、投射光を壁部３００に投射することによって、壁部３００に画像を投射する。本実施形態では、投射部２００は、コイル１１０の外側に配される。
【００２２】
本実施形態では、投射部２００は、カード読取部１００が読み取った情報が予め登録された個人を示すものであった場合、館員用の出入り口を開錠したことおよびＩＤカードが認証できたことを示す認証成功画像を投射する。投射部２００は、カード読取部１００が読み取った情報が予め登録された個人を示すものでなかった場合、館員用の出入り口を開錠しなかったことおよびＩＤカードが認証できなかったことを示す認証失敗画像を投射する。認証成功画像および認証失敗画像を一定時間投射したのち、投射部２００は、カード読取システム１０の制御部（図示しない）からの指示に基づいて、認証成功画像および認証失敗画像の投射を停止する。
【００２３】
壁部３００は、カード読取システム１０が設置された美術館の館内の壁である。壁部３００は、投射部２００から出された投射光によって、画像を投射可能な材質で構成されている。突出部３１０は、壁部３００より水平方向に突出しているとともに、重力方向上側を向いた水平な面３１５を有する。
【００２４】
本実施形態では、投射部２００は、カード読取部１００と壁部３００との間であって、かつ、突出部３１０における重力方向上側を向いた水平な面３１５上において、壁部３００に画像を投射可能な位置に配される。このため、投射部２００と壁部３００との間にカード読取部１００は配されていないことから、投射部２００から投射される投射光が、カード読取部１００に対するユーザーの操作によって妨げられることを防止できる。
【００２５】
本実施携帯における水平な面３１５上とは、投射部２００が突出部３１０に埋め込まれている状態であるが、他の実施形態では、水平な面３１５上とは、投射部２００が水平な面３１５の重力方向上側に取り付けられている状態であってもよい。
【００２６】
本実施形態では、投射部２００が投射する画像の高さは、床面から１１０ｃｍ〜１６０ｃｍの範囲である。他の実施携帯では、投射部２００が投射する画像の高さは、床面から１１０ｃｍ未満であってもよいし、１６０ｃｍより高くてもよい。
【００２７】
図２は、投射部２００が壁部３００に対して画像を投射している状態について示した説明図である。投射部２００は、カード読取部１００によってＩＤカードに記録された情報が読み取られるまで、画像を投射しない。カード読取部１００は透明の部材であるため、投射部２００が画像を投射していないときは、カード読取部１００により建築物の構成が見えなくなることを防止できる。
【００２８】
投射部２００は、カード読取部１００によって読み取られたＩＤカードに記録された情報が、予め登録された個人を示すものであった場合、認証成功画像を投射する。また、投射部２００は、カード読取部１００によって読み取られたＩＤカードに記録された情報が、予め登録された個人を示すものでなかった場合、認証失敗画像を投射する。
【００２９】
本実施形態は、画像表示手段として、液晶ディスプレイと同程度の大きさであっても透明であるカード読取部１００と、液晶ディスプレイより小さく構成できる投射部２００とによって構成される。このため、カード読取部１００がＩＤカードを読み取った場合には画像を表示するとともに、カード読取部１００がＩＤカードを読み取っていない場合には建築物の構成が見えるようにして、カード読取システム１０は、その設置された建築物の構成が見えなくなることを防止できる。
【００３０】
以上説明した実施形態によれば、投射によって画像を表示できることから、カード読取部１００の近傍に画像を配置できるとともにカード読取部１００のコイル１１０から投射部２００を隔離できる。このため、投射部２００を構成している部品に含まれる金属が、コイル１１０が発生させた磁界に与える影響を小さくすることができることから、ＩＤカードの読取距離の低下を防止することができる。また、投射によって画像を表示できることから、カード読取部１００の近傍に画像を配置する場合であっても、画像表示部（例えば、液晶ディスプレイなど）の配置と比べて、投射部２００の配置は自由度が高いため、建築物に設置する際にその建築物の構成が見えなくなることを防止できる。
【００３１】
また、カード読取部１００は透明の部材であるため、投射部２００が画像を投射していないときは、建築物の構成が見えなくなることを防止できる。
【００３２】
また、投射部２００と壁部３００との間にカード読取部１００は配されていないことから、投射部２００から投射される投射光が、カード読取部１００に対するユーザーの操作によって妨げられることを防止できる。
【００３３】
Ｂ．参考例：
図３は、参考例のカード読取システム４０の説明図である。カード読取システム４０は、カードに記録された情報を読み取るシステムである。カード読取システム４０は、カード読取部４００を備える。
【００３４】
カード読取部４００は、カードに記録された情報を読み取る。カード読取部４００は、略矩形状であるとともに板状部材である。カード読取部４００は、画像表示部４１０と、コイル４２０とを備える。画像表示部４１０は、画像を表示する液晶ディスプレイである。コイル４２０は、画像表示部４１０の周囲を囲むように配される。カード読取部４００は、コイル４２０が発生させた磁界にＩＤカードを通過させることでＩＤカード内に起電力を発生させることによって、カードから情報を読み取る。
【００３５】
しかし、図３におけるカード読取システム４０では、画像表示部４１０を構成している部品に含まれる金属が、コイル４２０が発生させた磁界に影響することによって、カード読取部４００においてカードを読み取ることが出来る読取距離が低下してしまう場合がある。また、カード読取システム４０が建築物等に設置された際に、その建築物（例えば、美術館、デザイナーズハウス等）の構成が画像表示部４１０により見えなくなる。本発明の実施形態であるカード読取システム１０では、上述した構成を備えるため、カードの読取距離の低下および建築物の構成が見えなくなることを防止できる。
【００３６】
Ｃ．第２実施形態：
図４は、第２実施形態におけるカード読取システム１０ａについて示した説明図である。第２実施形態におけるカード読取システム１０ａは、液晶部２５０ａを備える点を除き、第１実施形態におけるカード読取システム１０と同様である。
【００３７】
液晶部２５０ａは、投射部２００が画像を投射可能な壁部３００に配される。液晶部２５０ａは、画像を投射可能な第１の透過率と、第１の透過率より高い第２の透過率をとり得る。液晶部２５０ａは、印加される電圧が上昇することに伴って、光の透過率が低下する。
【００３８】
図４における液晶部２５０ａは、カード読取部１００によってＩＤカードに記録された情報が読み取られたことにより、印加される電圧が上昇されて光の透過率が低下することによって、投射部２００から投射される投射光による画像を投射可能になった状態にある。また、液晶部２５０ａは、カード読取部１００によってＩＤカードに記録された情報が読み取られていないことにより、電圧が印加されていないことによって、カード読取部１００側から見て壁部３００が透けて見える透明になった状態にもなることができる。
【００３９】
このため、投射部２００からの画像を投射する対象物として液晶部２５０ａを使用できることから、カード読取システム１０ａを設置する建築物の壁、天井および床などの材質にかかわらず、画像を投射することができる。その結果、カード読取システム１０ａの汎用性が高まる。また、画像を投射していないときは、液晶部２５０ａの透過率を上げることによって、建築物の構成が見えなくなることを防止できる。
【００４０】
Ｄ．第３実施形態：
図５は、第３実施形態におけるカード読取システム１０ｂについて示した説明図である。第２実施形態におけるカード読取システム１０ｂは、板状部材２５０ｂを備える点を除き、第１実施形態におけるカード読取システム１０と同様である。
【００４１】
板状部材２５０ｂは、投射部２００が画像を投射可能な壁部３００に配される。板状部材２５０ｂは、略矩形状であるとともに画像を投射可能である半透明の板状部材である。
【００４２】
このため、投射部２００からの画像を投射する対象物として板状部材２５０ｂを使用できることから、カード読取システム１０ｂを設置する建築物の壁、天井および床などの材質にかかわらず、画像を投射することができる。その結果、カード読取システム１０ｂの汎用性が高まる。また、画像を投射していないときは、板状部材２５０ｂは半透明であるため、建築物の構成が見えなくなることを防止できる。
【００４３】
Ｅ．第４実施形態：
図６は、第４実施形態におけるカード読取システム１０ｃについて示した説明図である。第４実施形態におけるカード読取システム１０ｃは、カード読取部１００とは形状の異なるカード読取部１００ｃおよびコイル１１０とは形状の異なるコイル１１０ｃを備える点を除き、第１実施形態におけるカード読取システム１０と同様である。
【００４４】
カード読取部１００ｃは、ＩＤカードに記録された情報を読み取る。カード読取部１００ｃは、略矩形状であるとともに透明の板状部材である。カード読取部１００ｃは、主としてガラスで構成される。
【００４５】
カード読取部１００ｃは、壁部３００の側を向いた面とは反対側である正面側の面において、ＩＤカードに記録された情報を読み取る。カード読取部１００は、板状部材内に透明なコイル１１０ｃを備える。
【００４６】
コイル１１０ｃは、磁界を発生させる。カード読取部１００ｃは、コイル１１０が発生させた磁界にＩＤカードを通過させることでＩＤカード内に起電力を発生させることによって、ＩＤカードから情報を読み取る。コイル１１０ｃは、板状部材であるカード読取部１００の中央側を略矩形状に取り囲むように配されている。
【００４７】
図７は、第４実施形態におけるカード読取システム１０ｃの投射部２００が壁部３００に対して画像を投射している状態について示した説明図である。第４実施形態では、カード読取部１００ｃの鉛直方向における上側の辺は、カード読取システム１０ｃが設置された美術館の壁部３００に取り付けられているとともに、カード読取部１００ｃの鉛直方向における下側の辺は、カード読取システム１０ｃが設置された美術館の突出部３１０における突出方向側に取り付けられている。
【００４８】
すなわち、カード読取部１００ｃの正面側の面は、鉛直方向における上端が鉛直方向における下端より壁部３００の側に近い面である。このため、カード読取部１００ｃにおいてＩＤカードに記録された情報を読み取る面が、ユーザーにとって扱いやすい角度に設置できるため、カード読取システム１０の使い勝手を向上することができる。例えば、カード読取システム１０が設置された高さが、ユーザの目線よりも低い場合、カード読取部１００ｃを見下ろす位置になるため、カード読取部１００ｃを見上げる位置に設置された場合と比べてユーザの腕を動かす範囲を少なくできるとともに、ユーザ自身が影となってカード読取部１００ｃへの太陽光や蛍光灯の影響を防ぐことから壁に投射された画像を見やすくなる。
【００４９】
また、カード読取部１００ｃは透明であることから、画像を投射していないときは、建築物の構成が見えなくなることを防止できるとともに、投射部２００から投射される投射光が、カード読取部１００ｃに対するユーザーの操作によって妨げられることを防止できる。
【００５０】
また、第１実施形態におけるカード読取システム１０と比べて、投射部２００から投射される投射光が、ユーザーの操作によって妨げられることをより一層防止できる。
【００５１】
Ｆ．第５実施形態：
図８は、第５実施形態におけるカード読取システム１０ｄについて示した説明図である。第５実施形態におけるカード読取システム１０ｄは、以下の点を除き、第４実施形態におけるカード読取システム１０ｃと同様である。
【００５２】
すなわち、カード読取部１００ｃの鉛直方向における上側の辺は、カード読取システム１０ｄが設置された美術館の突出部３１０ｄにおける突出方向側に取り付けられているとともに、カード読取部１００ｃの鉛直方向における下側の辺は、カード読取システム１０が設置された美術館の壁部３００に取り付けられている。すなわち、カード読取部１００ｃにおける正面側の面は、鉛直方向における上端が鉛直方向における下端より壁部３００の側から遠い面である。
【００５３】
また、突出部３１０ｄにおける重力方向下側を向いた水平な面３１５ｄ上において、投射部２００が壁部３００に画像を投射可能な位置に配される。カード読取システム１０ｄの他の点は、第４実施形態におけるカード読取システム１０ｃと同様である。
【００５４】
突出部３１０ｄは、壁部３００より水平方向に突出しているとともに、重力方向下側を向いた水平な面３１５ｄを有する。カード読取システム１０ｄでは、投射部２００は、カード読取部１００と壁部３００との間であって、かつ、突出部３１０ｄにおける重力方向下側を向いた水平な面３１５ｄ上において、壁部３００に画像を投射可能な位置に配される。このため、投射部２００から投射される投射光が、カード読取部１００ｃに対するユーザーの操作によって妨げられることを防止できる。また、カード読取システム１０ｄを屋外に設置する場合に、透明の板状部材であるカード読取部１００ｃに対して太陽光が反射することを防止できる。また、カード読取システムを屋内に設置する場合でも、蛍光灯が反射することを防止できる。このため、ユーザーは、壁部３００に投射された画像を見やすくなる。
【００５５】
Ｇ．変形例：
また、上記実施形態のカード読取システム１０では、突出部３１０は、壁部３００より水平方向に突出しているとしていたが、本発明はこれに限られない。例えば、突出部３１０は、壁部３００から水平方向より鉛直方向における上側を向いて突出していてもよいし、壁部３００より水平方向より鉛直方向における下側を向いて突出していてもよい。また、突出部３１０は、重力方向上側を向いた水平な面３１５を有するとしていたが、本発明はこれに限られない。例えば、突出部３１０は、鉛直方向における上端が鉛直方向における下端より壁部３００の側に近い面を有してもよいし、鉛直方向における上端が鉛直方向における下端より壁部３００の側から遠い面を有してもよい。
【００５６】
また、上記実施形態のカード読取システム１０では、投射部２００は、カード読取部１００と壁部３００との間であって、かつ、突出部３１０における重力方向上側を向いた水平な面３１５上において、壁部３００に画像を投射可能な位置に配されていたが、本発明はこれに限られない。例えば、投射部２００は、カード読取部１００と壁部３００との間の外側から、壁部３００に画像を投射可能な位置に配されていてもよい。また、投射部２００は、カード読取部１００と壁部３００との間であって、かつ、カード読取部１００における壁部３００の側を向いた面において、壁部３００に画像を投射可能な位置に配されていてもよい。
【００５７】
上記実施形態のカード読取システム１０ｂにおいて、板状部材２５０ｂは、鉛直方向における上端が鉛直方向における下端より壁部３００の側に近くてもよいし、鉛直方向における上端が鉛直方向における下端より壁部３００の側から遠くてもよい。
【００５８】
上記実施形態のカード読取システム１０ｃでは、カード読取部１００の鉛直方向における上側の辺は、カード読取システム１０ｃが設置された美術館の壁部３００に取り付けられているとともに、カード読取部１００の鉛直方向における下側の辺は、カード読取システム１０ｃが設置された美術館の突出部３１０における突出方向側に取り付けられているとしていたが、本発明はこれに限られない。例えば、カード読取部１００の鉛直方向における上側の辺は、カード読取システム１０ｃが設置された美術館の壁部３００に取り付けられておらず、カード読取部１００の鉛直方向における下側の辺は、カード読取システム１０ｃが設置された美術館の突出部３１０における突出方向側に取り付けられていてもよい。
【００５９】
また、上記実施形態のカード読取システム１０ｃでは、カード読取部１００ｃは、略矩形状であるとともに透明の板状部材であるとしていたが、本発明はこれに限られない。例えば、カード読取部１００ｃは、略矩形状であるとともに透明の板状部材に加え、透明のタッチパネルを備えていてもよいし、さらに突出部３１０内に別の構成を備えていてもよい。また、楕円状であってもよい。
【００６０】
本発明は、上述の実施形態や実施例、変形例に限られるものではなく、その趣旨を逸脱しない範囲において種々の構成で実現することができる。例えば、発明の概要の欄に記載した各形態中の技術的特徴に対応する実施形態、実施例、変形例中の技術的特徴は、上述の課題の一部または全部を解決するために、あるいは、上述の効果の一部または全部を達成するために、適宜、差し替えや、組み合わせを行うことが可能である。また、その技術的特徴が本明細書中に必須なものとして説明されていなければ、適宜、削除することが可能である。
【符号の説明】
【００６１】
１０…カード読取システム
１０ａ…カード読取システム
１０ｂ…カード読取システム
１０ｃ…カード読取システム
１０ｄ…カード読取システム
４０…カード読取システム
１００…カード読取部
１００ｃ…カード読取部
１１０…コイル
１１０ｃ…コイル
２００…投射部
２５０ａ…液晶部
２５０ｂ…板状部材
３００…壁部
３１０…突出部
３１０ｄ…突出部
３１５…面
３１５ｄ…面
４００…カード読取部
４１０…画像表示部
４２０…コイル
【図１】
2017041058.tif 000003
【図２】
2017041058.tif 000004
【図３】
2017041058.tif 000005
【図４】
2017041058.tif 000006
【図５】
2017041058.tif 000007
【図６】
2017041058.tif 000008
【図７】
2017041058.tif 000009
【図８】
2017041058.tif 000010